(57)【要約】【課題】軸部の外径の異なる複数種のネジやピン等を係合させることができるようにし、準備すべき物品数を減少させ、製造コストの低廉化及び製品の管理の簡略化を実現する。【解決手段】取付板１０に、第１の孔部１１、第２の孔部１２を形成し、固定部材１３を備えた。固定部材１３が開放位置にあると、凹部１７，１８内に大径部１１Ｂ，１２Ｂが位置し、孔部１１，１２の全体が開放され、大径部１１Ｂ，１２Ｂにドアスコープ２００のフランジ２１１が貫通する。固定部材１３が閉鎖位置にあると、固定部材１３の一部が大径部１１Ｂ，１２Ｂ内に進入し、大径部１１Ｂ，１２Ｂが閉鎖される。軸部２１２は小径部１１Ａ又は１２Ａから大径部１１Ｂ又は１２Ｂへ移動できない。取付板１０は外力によって上方に移動することがなく、フランジ２１１は大径部１１Ｂ又は１２Ｂを通過しない。孔部１１又は１２に対するドアスコープ２００の係合状態が維持される。【選択図】図２
2008025279.tif 000002
【特許請求の範囲】
【請求項１】
第１の小径部に第１の大径部が連通する第１の孔部、及び、前記第１の小径部と異なる内径の第２の小径部に第２の大径部が連通する第２の孔部を平面内に形成したプレートと、
前記プレートの平面内の前記第１の孔部と前記第２の孔部との間で、前記第１の孔部及び前記第２の孔部を開放する開放位置と前記第１の大径部及び前記第２の大径部を閉鎖する閉鎖位置との間に移動自在に保持された固定部材と、を備えた壁掛け用孔構造。
【請求項２】
前記固定部材は、前記プレートに回転自在に支持された回転体である請求項１に記載の壁掛け用孔構造。
【請求項３】
小径部に大径部が連通する孔部を平面内に形成したプレートと、
前記プレートの平面内で、前記孔部を開放する開放位置と前記大径部を閉鎖する閉鎖位置であって前記小径部への露出量が異なる複数の閉鎖位置との間で移動自在に保持された固定部材と、を備えた壁掛け用孔構造。
【請求項４】
前記固定部材は、前記プレートに回転自在に支持された回転体であって、複数の半径を有する回転体である請求項３に記載の壁掛け用孔構造。
【請求項５】
請求項１又は２に記載の壁掛け用孔構造を有する取付板と、前記取付板に着脱自在にされた本体と、を備え、前記第１の小径部の内径及び前記第２の小径部の内径のそれぞれが、２種類のドアスコープのそれぞれの互いに異なる軸部の外径に略等しいことを特徴とするドアスコープ用カメラ装置。
【請求項６】
請求項３又は４に記載の壁掛け用孔構造を有する取付板と、前記取付板に着脱自在にされた本体と、を備え、前記小径部の内径が、複数種類のドアスコープのそれぞれの軸部の外径のうち最大の径に略等しいことを特徴とするドアスコープ用カメラ装置。
【発明の詳細な説明】
【技術分野】
【０００１】
この発明は、壁面から延出したネジやピン等を介して物品を壁面に取り付ける際に用いられる壁掛け用孔構造、及び、この壁掛け用孔構造を用いてドアに取り付けられるドアスコープ用カメラ装置に関する。
【背景技術】
【０００２】
電子機器を含む物品として、壁面に取り付けられるものがある。このような物品には、背面に穴部が形成されている。物品を壁面に取り付ける際には、壁面の物品を取り付けるべき位置からネジやピン等を延出させ、壁面から延出したネジやピン等を物品の穴部に係合させる。
【０００３】
物品に形成される穴部は、嵌入されるネジやピン等の軸部の径に略等しい小径部とネジやピン等の頭部の径よりも大きい大径部とを、小径部を上にして上下に連通させて構成されている。ネジやピン等を穴部に係合させる際には、頭部を大径部に貫通させた後に物品を下方に移動させる。軸部が下方から小径部内に嵌入し、小径部の内周面が軸部の周面に当接することによって物品が支持される。また、小径部よりも径の大きい頭部は小径部を通過することができないため、水平方向への物品の移動が規制される。
【０００４】
しかし、物品が上方に移動すると軸部が小径部から大径部に移動し、頭部が大径部に対向することでネジやピン等を穴部から抜き出せるようになり、物品は水平方向へ移動できる。物品が壁面から離間する方向に移動すると、ネジやピン等が穴部に係合しなくなり、物品が壁面から落下してしまう。
【０００５】
従来の壁掛け用孔構造では、ネジやピン等を穴部に係合させた後に、物品の上方への移動を規制すべく、大径部を閉鎖できるようにしたものがある（例えば、特許文献１参照。）。前後に重ねて配置される第１のプレートと第２のプレートとの両方に同一形状の穴部が形成され、第２のプレートは第１のプレートに対して穴部の小径部の中心位置回りに回転自在にされている。ネジやピン等の軸部を小径部に嵌入させた後、第２のプレートを第１のプレートに対して回転させることで大径部が閉鎖され、物品に上向きの外力が作用しても軸部が小径部から大径部に移動することがなく、ネジやピン等の穴部への係合が維持され、壁面からの物品の落下が防止される。
【特許文献１】特開２００２−３４４１５３号公報
【発明の開示】
【発明が解決しようとする課題】
【０００６】
しかし、従来の壁掛け用孔構造では、軸部の径の異なる複数種のネジやピン等が選択的に係合できるようにしたものがなかった。このため、壁面に既設の複数種のネジやピン等を介して壁面に取り付けるべき物品は、穴部の小径部の径が複数種の軸部の径のそれぞれに対応した複数種類を準備する必要があり、製造コストの高騰や製品の管理の煩雑化を招く問題がある。
【０００７】
例えば、ドアスコープを介して外部を撮像するドアスコープ用カメラでは、扉に既設のドアスコープを穴部に係合させて扉に取り付けるものがある。既存のドアスコープの軸部の径は一定ではなく、市場シェアの高い２種類を含む複数種が存在している。このため、ドアスコープ用カメラには、穴部の形状が異なる複数種の筐体を準備しなければならい。
【０００８】
この発明の目的は、軸部の径の異なる複数種のネジやピン等を係合させることができるようにし、準備すべき物品数を減少させることができ、製造コストの低廉化及び製品の管理の簡略化を実現できる壁掛け用孔構造、及び、この壁掛け用孔構造を用いたドアスコープ用カメラ装置を提供することにある。
【課題を解決するための手段】
【０００９】
この発明の壁掛け用孔構造は、プレートと固定部材とを備えている。プレートは、第１の小径部に第１の大径部が連通する第１の孔部、及び、第１の小径部と異なる内径の第２の小径部に第２の大径部が連通する第２の孔部を平面内に形成している。固定部材は、プレートの平面内の第１の孔部と第２の孔部との間で、第１の孔部及び第２の孔部を開放する開放位置と第１の大径部及び第２の大径部を閉鎖する閉鎖位置との間に移動自在に保持されている。
【００１０】
固定部材が開放位置にあるときには、プレート内の第１の孔部及び第２の孔部が開放している。壁面から延出したネジやピン等の頭部を第１又は第２の大径部に貫通させた後にプレートを移動させると、ネジやピン等の軸部が第１又は第２の小径部に嵌入する。この後、固定部材を閉鎖位置に移動させると、第１又は第２の大径部が閉鎖され、プレートに外力が作用しても、軸部が第１又は第２の小径部から第１又は第２の大径部に移動することがない。また、軸部よりも大径の頭部は第１又は第２の小径部を通過することができないため、プレートの水平方向の移動が規制される。第１又は第２の孔部にネジやピン等が係合し、プレートが壁面に取り付けられる。ネジやピン等の軸部の外径に応じて、第１の孔部又は第２の孔部が選択的に使用される。
【００１１】
固定部材は、一例として、プレートに回転自在に支持された回転体である。単一の回転体を回転させることで、第１及び第２の孔部の開閉状態が変化する。
【００１２】
上記の壁掛け用孔構造は、一例として、ドアスコープ用カメラ装置に適用される。ドアスコープ用カメラ装置は、取付板と本体とを備えている。取付板は、上記の壁掛け用孔構造を有している。本体は、取付板に着脱自在にされている。ドアスコープの軸部を介して取付板をドアに取り付けた後、取付板に本体を装着する。取付板に形成された第１の小径部の内径及び第２の小径部の内径のそれぞれは、２種類のドアスコープのそれぞれの軸部の外径に略等しくされている。単一のドアスコープ用カメラ装置が、２種類のドアスコープのいずれにも適用できる。
【００１３】
この発明の別の壁掛け用孔構造は、プレートと固定部材とを備えている。プレートは、小径部に大径部が連通する孔部を平面内に形成している。固定部材は、プレートの平面内で、孔部を開放する開放位置と、大径部を閉鎖する閉鎖位置であって小径部への露出量が異なる複数の閉鎖位置と、の間で移動自在に保持されている。
【００１４】
固定部材の閉鎖位置における移動量に応じて固定部材の小径部への露出量が変化し、単一の小径部に嵌入可能な軸部の外径が変わる。単一の孔部に複数のネジやピン等が選択的に係合する。
【００１５】
固定部材は、一例として、プレートに回転自在に支持された回転体であって、複数の半径を有する回転体である。回転体の回転位置に応じて小径部への回転体の露出量が変化する。
【００１６】
上記の壁掛け用孔構造は、一例として、ドアスコープ用カメラ装置に適用される。ドアスコープ用カメラ装置は、取付板と本体とを備えている。取付板は、上記の壁掛け用孔構造を有している。本体は、取付板に着脱自在にされている。ドアスコープの軸部を介して取付板をドアに取り付けた後、取付板に本体を装着する。取付板に形成された小径部の内径は、固定部材の移動量に応じて変化し、複数種類のドアスコープのそれぞれの軸部の外径に等しくなる。単一のドアスコープ用カメラ装置が、複数種類のドアスコープのいずれにも適用できる。
【発明の効果】
【００１７】
この発明の壁掛け用孔構造によれば、壁面から延出したネジやピン等の軸部の外径に応じて、第１の孔部又は第２の孔部を選択的に使用することができ、単一の物品に軸部の外径の異なる２種類ネジやピン等を選択的に係合させることができる。これによって、準備すべき物品数を減少させることができ、製造コストの低廉化及び製品の管理の簡略化を実現できる。
【００１８】
固定部材として、プレートに回転自在に支持された回転体を用いることで、単一の回転体の回転によって第１及び第２の孔部の開閉状態を変化させることができ、単一の物品に軸部の外径の異なる２種類ネジやピン等を選択的に係合させることができる。
【００１９】
また、上記の壁掛け用孔構造を、取付板と本体とを備えたドアスコープ用カメラ装置の取付板に適用することで、単一のドアスコープ用カメラ装置を、軸部の外径が異なる２種類のドアスコープのいずれにも適用できる。
【００２０】
この発明の別の壁掛け用孔構造によれば、壁面から延出したネジやピン等の軸部の外径に応じて回転体の移動量を変化させることで、単一の小径部に嵌入可能な軸部の外径を変えることができる。これによって、単一の孔部に複数のネジやピン等を選択的に係合させることができ、準備すべき物品数を減少させることができ、製造コストの低廉化及び製品の管理の簡略化を実現できる。
【００２１】
固定部材として、プレートに回転自在に支持された回転体であって複数の半径を有する回転体を用いることで、回転体の回転位置に応じて小径部の内径を変化させることができ、単一の孔部に複数のネジやピン等を選択的に係合させることができる。
【００２２】
また、上記の壁掛け用孔構造を、取付板と本体とを備えたドアスコープ用カメラ装置の取付板に適用することで、単一のドアスコープ用カメラ装置を、軸部の外径が異なる複数種類のドアスコープのいずれにも適用できる。
【発明を実施するための最良の形態】
【００２３】
以下に、この発明の最良の実施形態を図面を参照しつつ詳細に説明する。図１は、この発明の実施形態に係る壁掛け孔用構造を適用したドアスコープ用カメラ装置の使用状態を示す図である。ドアスコープ用カメラ装置１は、取付板１０と本体２０とからなる。
【００２４】
取付板１０は、この発明のプレートであり、この発明の壁掛け用孔構造が適用されている。取付板１０は、ドア１００に既設のドアスコープ２００を介してドアの内側面に取り付けられる。ドアスコープ２００は、内側部材２１０と外側部材２２０とからなる。内側部材２１０は、フランジ部２１１と軸部２１２とからなる。フランジ部２１１は、軸部２１２の内側端部に形成されている。軸部２１２内には、外側端部に開放した雌ねじ部２１３が形成されている。外側部材２２０は、フランジ部２２１及び雄ねじ部２２２からなる。フランジ部２２１には、レンズ２２３が装着されている。雄ねじ部２２２は、中空形状にされており、雌ねじ部２１３に螺合する。
【００２５】
取付板１０は、ドアスコープ２００の軸部２１２が嵌入する小径部１１Ａを備えており、小径部１１Ａに軸部２１２が嵌入した内側部材２１０のフランジ部２１１とドア１００の内側面との間に挟持されてドア２００に取り付けられる。取付板１０には一例として４箇所に磁性体の金属部材３０が固定されている。
【００２６】
本体２０は、カメラ２１、画像処理回路２２、通信回路２３及び電源２４等を内蔵し、取付板１０に着脱自在に装着される。本体２０には４個の金属部材３０のそれぞれに対向する位置にマグネット２５が固定されている。本体２０は、金属部材３０とマグネット２５との磁気吸引力によって取付板１０に着脱自在に装着される。なお、取付板１０が磁性体材料を素材とする場合には、金属部材３０を設ける必要はない。
【００２７】
カメラ２１は、レンズ２２３を介してドア１００の外部を撮像する。画像処理回路２２は、カメラ２１が撮像した画像に所定の画像処理を施し、画像データとして通信回路２３に供給する。通信回路２３は、画像データを図示しないモニタに送信する。電源２４は、カメラ２１、画像処理回路２２及び通信回路２３に電力を供給する。
【００２８】
ドアスコープ用カメラ装置１により、ドア１００から離れた位置にあるモニタにより、ドア１００の外部の状況を視認することができる。
【００２９】
なお、本体２０は、取付板１０にネジ又は係合部材を介して着脱自在に装着することもできる。
【００３０】
図２は、この発明の第１の実施形態に係るドアスコープ用カメラ装置１の取付板１０の構成及び動作を示す図である。取付板１０は、第１の孔部１１、第２の孔部１２、マグネット固定部１４Ａ〜１４Ｄ、チェーン保持部１５及び１６が形成され、固定部材１３を備えている。
【００３１】
第１の孔部１１は、第１の小径部１１Ａと第１の大径部１１Ｂとを一部を重ねて上下に配置して構成されている。第２の孔部１２は、第１の小径部１２Ａと第２の大径部１２Ｂとを一部を重ねて上下に配置して構成されている。小径部１１Ａ、大径部１１Ｂ、小径部１２Ａ、大径部１２Ｂは、水平方向の中心位置を一致させて配置されている。孔部１１及び孔部１２では、小径部１１Ａ及び小径部１２Ａは固定部材１３に対して大径部１１Ｂ及び大径部１２Ｂよりも外側に配置されている。
【００３２】
大径部１１Ｂ，１２Ｂの内径は、ドアスコープ２００のフランジ２１１の外径よりも大きくされている。小径部１１Ａ，１２Ａの内径は、既存のドアスコープのうち、市場シェアの高い２種類のドアスコープの軸部２１２のそれぞれの外径に略等しくされている。小径部１２Ａの内径は、小径部１１Ａの内径よりも大きい。一例として、小径部１１Ａの内径は１２ｍｍにされており、小径部１２Ａの内径は１４ｍｍにされている。
【００３３】
軸部２１２の外径が１２ｍｍのドアスコープ２００がドア１００に既設されている場合、孔部１１を孔部１２の上側にして取付板１０を取り付ける。軸部２１２の外径が１４ｍｍのドアスコープ２００がドア１００に既設されている場合、孔部１２を孔部１１の上側にして取付板１０を取り付ける。
【００３４】
金属部材固定部１４Ａ〜１４Ｄは、取付板１０の四隅に配置されている。金属部材固定部１４Ａ〜１４Ｄのそれぞれには、金属部材３０が固定される。
【００３５】
チェーン保持部１５，１６は、取付板１０の中心位置回りに回転対称となる位置に配置されている。チェーン保持部１５，１６は、丸孔１５Ａ，１６Ａと長孔１５Ｂ，１６Ｂとを連通させて構成されている。チェーン保持部１５，１６は、一端を本体に固定されたチェーンの他端を保持する。取付板１０に磁気吸引力によって装着された本体２０に外力が作用し、本体２０が取付板１０から外れた際にも、チェーン保持部１５，１６に保持されたチェーンを介して本体１０が取付板１０に繋がれており、本体２０が床面に落下することはない。
【００３６】
固定部材１３は、取付板１０内で孔部１１と孔部１２との間に回転自在に支持されている。固定部材１３は円盤形状を呈し、周面の対向する２箇所に凹部１７，１８が形成されている。固定部材１３の回転中心は、孔部１１と孔部１２との間の中央よりも孔部１１よりにされている。
【００３７】
固定部材１３が図２（Ａ）に示す開放位置にある時には、凹部１７，１８が上下方向に位置する。凹部１７，１８内に大径部１１Ｂ，１２Ｂが位置し、孔部１１，１２の全体が開放される。固定部材１３が開放位置にある時には、大径部１１Ｂ，１２Ｂにドアスコープ２００のフランジ２１１を貫通させることができる。
【００３８】
固定部材１３が図２（Ｂ）に示す閉鎖位置にある時には、凹部１７，１８が左右方向に位置する。固定部材１３の一部が大径部１１Ｂ，１２Ｂ内に進入し、大径部１１Ｂ，１２Ｂが閉鎖される。このとき、固定部材１３の外周部は、小径部１１Ａ及び小径部１２Ａのそれぞれの内径の円弧に接する。固定部材１３は、開放位置から一方向に閉鎖位置までの間でのみ回転自在にされている。
【００３９】
取付板１０をドア１００に取り付ける際には、固定部材１３を開放位置に位置させ、ドアスコープ２００の内側部材２１０と外側部材２２０との締結状態を緩める。軸部２１２の外径に応じて大径部１１Ｂ又は大径部１２Ｂのいずれかにフランジ２１１を貫通させる。次いで、取付板１０を下方に移動させると、軸部２１２が小径部１１Ａ又は１２Ａ内に嵌入する。この状態で、内側部材２１０と外側部材２２０とを確実に締結させることにより、取付板１０は、小径部１１Ａ又は１２Ａの周縁部でフランジ２１１とドア１００の内側面との間に挟持される。
【００４０】
この後、固定部材１３を閉鎖位置まで回転させる。小径部１１Ａ又は１２Ａに嵌入した軸部２１２の周面に固定部材１３の外周部が当接し、軸部２１２が小径部１１Ａ又は１２Ａから大径部１１Ｂ又は１２Ｂへ移動することを防止する。取付板１０に大きな外力が作用しても、取付板１０が上方に移動することがなく、フランジ２１１が大径部１１Ｂ又は１２Ｂを通過することがない。これによって、孔部１１又は１２に対するドアスコープ２００の係合状態を確実に維持することができる。
【００４１】
以上の構成によって、ドア１００に軸部２１２の外径が異なる２種類のドアスコープ２００のいずれか既設されている場合にも、単一の取付板１０を介して本体２０をドア１００に取り付けることができる。
【００４２】
図３は、この発明の第２の実施形態に係るドアスコープ用カメラ装置１の取付板１１０の構成及び動作を示す図である。取付板１１０は、図２に示した取付板１０の孔部１１及び固定部材１３に代えて、孔部１１１及び固定部材１１３を備えている。取付板１１０のその他の構成は取付板１０と同一であり、取付板１０と同一の部分には図２と同一の符号を付して説明を省略する。
【００４３】
孔部１１１は、小径部１１１Ａと大径部１１１Ｂとを一部を重ねて上下に配置して構成されている。小径部１１１Ａ、大径部１１１Ｂは、水平方向の中心位置を取付板１１０に一致させて配置されている。孔部１１１では、小径部１１１Ａが大径部１１１Ｂよりも外側に配置されている。
【００４４】
大径部１１１Ｂの内径は、ドアスコープ２００のフランジ２１１の外径よりも大きくされている。小径部１１１Ａの内径は、既存のドアスコープのうち、市場シェアの高い２種類のドアスコープの軸部２１２の外径の大きい方の外径に略等しくされている。一例として、小径部１１１Ａの内径は１４ｍｍにされている。
【００４５】
固定部材１１３は、取付板１１０内で孔部１１１の下方に回転自在に支持されている。固定部材１１３は円盤形状を呈し、外周部の一部に凹部１１７が形成されている。固定部材１１３の半径は凹部１１７の一端から反時計方向に沿って徐々に長くされている。
【００４６】
固定部材１１３が図３（Ａ）に示す第１の閉鎖位置にある時には、凹部１１７が右側に位置し、大径部１１１Ｂは内部に固定部材１１３の半径の短い部分の外周部が位置する状態で閉鎖される。
【００４７】
固定部材１１３が図３（Ｂ）に示す第２の閉鎖位置にある時には、凹部１１７が左側に位置し、大径部１１１Ｂは内部に固定部材１１３の半径の長い部分の外周部が位置する状態で閉鎖される。
【００４８】
固定部材１１３が第１の閉鎖位置にある時と第２の閉鎖位置にある時とで、小径部１１１Ａに嵌入可能な軸部２１２の径が異なる。したがって、単一の孔部１１１を有する単一の取付板１１０を、軸部２１２の外径が異なる複数のドアスコープ２００のいずれかに選択的に係合させてドア１００に取り付けることができる。
【００４９】
凹部１１７が上側に位置している状態では、凹部１１７内に大径部１１１Ｂが位置し、孔部１１１の全体が開放される。固定部材１１３が開放位置にある時には、大径部１１１Ｂにドアスコープ２００のフランジ２１１を貫通させることができる。
【００５０】
外周部に沿って半径が段階的に変化する固定部材１１３を用いることもできる。また、小径部１１１Ａの内径を既存の複数種類のドアスコープのうち最大の軸部２１２の外径に等しくしておくことで、単一の取付板１１０を外径の軸部２１２の外径が異なる３種類以上のドアスコープ２００に係合させてドア１００に取り付けることができる。
【００５１】
図２及び図３に示した構成において、固定部材１３及び１１３の外周部の一部を取付板１０及び１１０の側面から外部に露出させ、取付板１０及び１１０に本体２０を装着した状態でも固定部材１３及び１１３を回転操作できるようにしてもよい。
【００５２】
図４は、この発明の第３の実施形態に係るドアスコープ用カメラ装置１の取付板１２０の構成及び動作を示す図である。取付板１２０は、図３に示した取付板１１０の固定部材１１３に代えて、固定部材１２３を備えている。取付板１２０のその他の構成は取付板１１０と同一であり、取付板１１０と同一の部分には図３と同一の符号を付して説明を省略する。
【００５３】
固定部材１２３は、取付板１２０内の孔部１１１の下方の位置で左右方向に移動自在に支持されている。固定部材１２３は上辺が傾斜した矩形を呈し、上辺の一部に凹部１２７が形成されている。
【００５４】
固定部材１２３が図４（Ａ）に示す開放位置にある時には、凹部１２７内に大径部１１１Ｂが位置し、孔部１１１の全体が開放される。固定部材１２３が開放位置にある時には、大径部１１１Ｂにドアスコープ２００のフランジ２１１を貫通させることができる。
【００５５】
固定部材１２３が図４（Ｂ）に示す第１の閉鎖位置にある時には、大径部１１１Ｂは内部に固定部材１２３の高さの低い部分の上辺が位置する状態で閉鎖される。
【００５６】
固定部材１２３が図４（Ｃ）に示す第２の閉鎖位置にある時には、大径部１１１Ｂは内部に固定部材１２３の高さの高い部分の上辺が位置する状態で閉鎖される。
【００５７】
固定部材１２３が第１の閉鎖位置にある時と第２の閉鎖位置にある時とで、小径部１１１Ａに嵌入可能な軸部２１２の径が異なる。例えば、固定部材１２３が第１の閉鎖位置にある時には１４ｍｍの外径の軸部２１２が嵌入可能であり、固定部材１２３が第２の閉鎖位置にある時には１２ｍｍの外径の軸部２１２が嵌入可能である。したがって、単一の孔部１１１を有する単一の取付板１２０を、軸部２１２の外径が異なる複数のドアスコープ２００のいずれかに選択的に係合させてドア１００に取り付けることができる。
【００５８】
上辺の高さ位置が段階的に変化する固定部材１２３を用いることもできる。また、小径部１１１Ａの内径を既存の複数種類のドアスコープのうち最大の軸部２１２の外径に等しくしておくことで、単一の取付板１２０を外径の軸部２１２の外径が異なる３種類以上のドアスコープ２００に係合させてドア１００に取り付けることができる。
【００５９】
図４に示した構成において、固定部材１２３の一部を取付板１２０の側面から外部に露出させ、取付板１２０に本体２０を装着した状態でも固定部材１２３をスライド操作できるようにしてもよい。
【００６０】
固定部材１２３の下辺も上辺と同様に傾斜面又は階段状に形成することで、固定部材１２３を固定部材１３に代えて図２に示した取付板１０に適用するこができる。
【００６１】
なお、この発明の壁掛け用孔構造は、ドアスコープ用カメラ装置のみならず、壁面に取り付けられる物品に適用することができる。
【図面の簡単な説明】
【００６２】
【図１】この発明の実施形態に係る壁掛け孔用構造を適用したドアスコープ用カメラ装置の使用状態を示す図である。
【図２】この発明の第１の実施形態に係るドアスコープ用カメラ装置１の取付板１０の構成及び動作を示す図である。
【図３】この発明の第２の実施形態に係るドアスコープ用カメラ装置１の取付板１１０の構成及び動作を示す図である。
【図４】この発明の第３の実施形態に係るドアスコープ用カメラ装置１の取付板１２０の構成及び動作を示す図である。
【符号の説明】
【００６３】
１  ドアスコープ用カメラ装置
１０  取付板
１１，１２  孔部
１１Ａ  第１の小径部
１２Ａ  第２の小径部
１１Ｂ  第１の大径部
１２Ｂ  第２の大径部
１３  固定部材
２０  本体
１００  ドア
２００  ドアスコープ
２１１  フランジ
２１２  軸部
【図１】
2008025279.tif 000003
【図２】
2008025279.tif 000004
【図３】
2008025279.tif 000005
【図４】
2008025279.tif 000006